(57)【特許請求の範囲】
【請求項１】
可撓性容器本体に吐出ポンプを取付けてなるポンプ付き容器であって、
前記吐出ポンプが容器本体のノズル部の外側に、該ノズル部に連通する状態で取付けられ、
前記吐出ポンプが容器本体のノズル部に連通するシリンダのポンプ室と、このポンプ室を拡縮するピストン部とを備え、ピストンの操作方向がノズル部の液通路方向と垂直をなすように設置され、
前記吐出ポンプが容器本体のノズル部に連通するポンプ室の吸込み口に、ポンプ室への吸込み方向の流れだけを許容する吸込み用逆止弁を配置し、前記ポンプ室の吸込み口とは反対側の側壁に開口する吐出口に、ポンプ室から外部へ向かう流れだけを許容する吐出用逆止弁を配置し、
前記吸込み用逆止弁と吐出用逆止弁は概ね平坦な形状をなし、
前記吐出ポンプが容器本体に取付けられたシリンダ回りにキャップを被着し、キャップはポンプ室の吐出口に配置した吐出用逆止弁の前面に開口する吐出口を備えてなることを特徴とするポンプ付き容器。
【請求項２】
前記キャップの吐出口を開閉する上蓋を該キャップにヒンジ結合してなる請求項１記載のポンプ付き容器。
【請求項３】
前記上蓋がキャップの吐出口の内周に嵌合する凸状インナーシールを備える請求項２記載のポンプ付き容器。
【発明の詳細な説明】
【０００１】
【発明の属する技術分野】
本発明はポンプ付き容器に関する。
【０００２】
【従来の技術】
従来、特開平8-156973号公報に記載の如くのポンプ付き積層容器が提案されている。このポンプ付き積層容器は、定形の外郭を形成する外容器と、外容器内面に剥離自在に積層されて内袋を形成する内容器とからなり、外容器と内容器の間に大気を取り入れ可能とする空気取り入れ口を設けるとともに、外容器のノズル部に固定されて内容器の内部空間に連通するポンプ付きキャップを備えて構成される。
【０００３】
この従来のポンプ付き積層容器によれば、ポンプ付きキャップに加えるポンプ操作により内容液を吐出する度に、外容器と内容器の間に空気取り入れ口からの大気を取り入れて内容器を縮ませ、外容器を定形維持しながら内容液を定量吐出できる。
【０００４】
【発明が解決しようとする課題】
然しながら、従来技術には以下の問題点がある。
▲１▼容器が外容器と内容器の 2層からなる積層型容器であり、複雑である。
【０００５】
▲２▼ポンプ操作により内容物を吐出したときに、内容液が未だ多量に残存しているにもかかわらず、縮んだ内容器が外容器のノズル部を塞いでしまい、それ以後の内容物の吐出を不能にする虞れがある。
【０００６】
▲３▼ポンプ付きキャップのポンプの操作方向がノズル部の液通路方向の同軸延長上にあり、容器全高が大型になる。
【０００７】
本発明の課題は、簡素な容器構成により、内容物を残すことなく吐出可能とすることにある。
【０００８】
また、チューブ容器単体における指による困難な絞り出し作業に比較して、簡単なポンプ操作によって内容物を残すことなく吐出可能とすることにある。
【０００９】
また、本発明の課題は、容器全高をコンパクトにすることにある。
【００１０】
【課題を解決するための手段】
請求項１に記載の発明は、可撓性容器本体に吐出ポンプを取付けてなるポンプ付き容器であって、前記吐出ポンプが容器本体のノズル部の外側に、該ノズル部に連通する状態で取付けられ、前記吐出ポンプが容器本体のノズル部に連通するシリンダのポンプ室と、このポンプ室を拡縮するピストン部とを備え、ピストンの操作方向がノズル部の液通路方向と垂直をなすように設置され、前記吐出ポンプが容器本体のノズル部に連通するポンプ室の吸込み口に、ポンプ室への吸込み方向の流れだけを許容する吸込み用逆止弁を配置し、前記ポンプ室の吸込み口とは反対側の側壁に開口する吐出口に、ポンプ室から外部へ向かう流れだけを許容する吐出用逆止弁を配置し、前記吸込み用逆止弁と吐出用逆止弁は概ね平坦な形状をなし、前記吐出ポンプが容器本体に取付けられたシリンダ回りにキャップを被着し、キャップはポンプ室の吐出口に配置した吐出用逆止弁の前面に開口する吐出口を備えてなるものである。ここで可撓性容器とは、内容物を吐出させた後、大気圧によって容器本体が縮み変形する容器で、例えばハミガキ等のチューブ容器である。
【００１１】
【作用】
(1)吐出ポンプの操作により容器本体の内部に陰圧を付与すると、この陰圧により内容物が吐出され、容器本体はその可撓性により大気圧に押されて縮み変形する。即ち、簡素な装置構成により、内容物を安定的に定量吐出可能とする。
【００１２】
(2)吐出ポンプの操作により内容液が吐出されるとき、容器本体は底部側から縮み変形し、結果として、底部側に内容物を残すことなく内容物を吐出可能とする。
【００１３】
(3)吐出ポンプが容器本体のノズル部の外側に取付けられ、容器本体の内部に内蔵されるものでないから、吐出ポンプの存在が容器本体の縮み変形を阻止することがなく、内容物の残量を最小にできる。
【００１４】
(4)吐出ポンプを構成するピストンの操作方向がノズル部の液通路方向と垂直をなすように、該吐出ポンプがノズル部に取付けられるから、容器全高を低く、コンパクトにできる。
【００１５】
【発明の実施の形態】
ポンプ付き容器１０は、可撓性容器本体１１に吐出ポンプ１２を取付けて構成され、容器本体１１の内容物を吐出ポンプ１２の操作により定量吐出可能とするものである。
【００１６】
容器本体１１は、ポリエチレン、ポリプロピレン等の軟質可撓材料からなる有底チューブ状の胴部１１Ａと、胴部１１Ａに接続される肩部１１Ｂ、ノズル部１１Ｃとを有し、肩部１１Ｂ、ノズル部１１Ｃを胴部１１Ａより硬質の材料にて構成している。
【００１７】
吐出ポンプ１２は、容器本体１１のノズル部１１Ｃの外側に、該ノズル部１１Ｃに連通する状態で取付けられる。即ち、ポンプ１２は、容器本体１１のノズル部１１Ｃに螺着されるポンプハウジング２１を有している。ポンプハウジング２１は、ノズル部１１Ｃに螺着される取着部２１Ａと、取着部２１Ａ回りに設けられるカバー部２１Ｂと、ノズル部１１Ｃに連通するポンプ室１２Ａを形成するシリンダ部２１Ｃとを有する。ポンプ１２は、ポンプハウジング２１のシリンダ部２１Ｃが形成するポンプ室１２Ａを拡縮するピストン２２をスプリング２３とともにポンプ室１２Ａ内に組込み、ピストン２２のスプリング２３による吸込みストロークでポンプ室１２Ａを拡張して容器本体１１の内容物を吸込み可能とし、シリンダ部２１Ｃの外側に臨むピストン２２の押動操作部２２Ａを押込む吐出ストロークでポンプ室１２Ａ内の内容物を吐出可能とし、ピストン２２をその吸込みストローク端で制止するピストン押さえ２４をポンプハウジング２１に備える。そして、吐出ポンプ１２は、ピストン２２の押動操作部２２Ａによるピストン２２の操作方向をノズル部１１Ｃの液通路方向（容器本体１１の長手方向）と垂直をなすように設定してある。ポンプハウジング２１は、シリンダ部２１Ｃの一方の側壁に吸込み口２１Ｄを、他方の側壁に吐出口２１Ｅを開口し、吸込み口２１Ｄの前面に、容器本体１１からポンプ室１２Ａへの吸込み方向の流れだけを許容する吸込み用逆止弁２５を、吐出口２１Ｅの前面に、ポンプ室１２Ａから外部への吐出方向の流れだけを許容する吐出用逆止弁２６を固定配置している。
【００１８】
吐出ポンプ１２は、ポンプハウジング２１のシリンダ部２１Ｃ回りにキャップ２７を被着してある。キャップ２７は、ポンプハウジング２１の吐出口２１Ｅに設けた吐出用逆止弁２６の前面に吐出口２８を開口し、この吐出口２８を開閉する上蓋２９をヒンジ結合されている。
【００１９】
従って、ポンプ付き容器１０は以下の如く使用される。
(1) キャップ２７の上蓋２９を開ける。
【００２０】
(2) ピストン２２の押動操作部２２Ａを押込む吐出ストロークで、ポンプ室１２Ａを縮小加圧し、ポンプ室１２Ａに流入させてあった内容物を吐出口２１Ｅ、吐出用逆止弁２６を経てキャップ２７の吐出口２８から吐出する。
【００２１】
(3) ピストン２２をスプリング２３の弾発力で押戻す吸込みストロークで、ポンプ室１２Ａを拡張減圧し、容器本体１１の内容物を吸込み口２１Ｄ、吸込み用逆止弁２５を経てポンプ室１２Ａに流入させ、次の吐出操作に備える。
【００２２】
(4) キャップ２７の上蓋２９を閉じる。
【００２３】
従って、本実施形態によれば前記(1) 〜(4) の他に以下の作用がある。
▲１▼容器本体１１のノズル部１１Ｃに螺着したポンプハウジング２１のシリンダ部２１Ｃに吐出口２１Ｅを設け、ポンプ１２が吐出する内容物をこの吐出口２１Ｅの前面に固定の逆止弁２６、キャップ２７の吐出口２８から吐出させるようにした。従って、ポンプ１２のピストン２２を押動操作して内容物を吐出するとき、内容物は停止状態にあるキャップ２７の吐出口２８から吐出される。即ち、吐出口２８が吐出時に上下に動くことがなく、吐出方向が定まり、吐出作業性が良い。
【００２４】
▲２▼容器本体１１の肩部１１Ｂ、ノズル部１１Ｃを硬質材料にて形成し、ポンプ１２のポンプハウジング２１をノズル部１１Ｃに螺着するようにしたから、容器本体１１へのポンプ１２の組立性が良い。また、胴部１１Ａは肩部１１Ｂを介してノズル部１１Ｃに接続されており、胴部１１Ａは縮み変形しても肩部１１Ｂの介在によりノズル部１１Ｃに到達してこのノズル部１１Ｃを閉塞してしまう如くがない。従って、胴部１１Ａの底部〜中間部に内容液が残存している状態で、胴部１１Ａがノズル部１１Ｃを閉塞して吐出不能とすることもない。
【００２５】
【発明の効果】
以上のように本発明によれば、簡素な容器構成により、内容液を残すことなく吐出可能とすることができる。
【００２６】
また、チューブ容器単体における指による困難な絞り出し作業に比較して、簡単なポンプ操作によって内容物を残すことなく吐出できる。
【００２７】
また、本発明によれば、容器全高をコンパクトにすることができる。
【図面の簡単な説明】
【図１】図１は本発明の一実施形態に係るポンプ付き容器を示す模式図である。
【図２】図２はポンプ付き容器の液吐出状態を示す模式図である。
【符号の説明】
１０  ポンプ付き容器
１１  容器本体
１１Ｃ  ノズル部
１２  吐出ポンプ
１２Ａ  ポンプ室
２１Ｃ  シリンダ部
２２  ピストン
【図１】
0003886645.tif 000002
【図２】
0003886645.tif 000003